(57)【要約】【課題】ＰＨＳシステムに連結できる無線ルータを提供する。【解決手段】  無線ルータ１は、マイクロプロセッサ１１、無線ネットワーク通信モジュール１２、ＰＨＳ通信モジュール１３及びＬＡＮチップ１４から成る。無線ルータ内のＰＨＳ通信モジュールとアンテナによってＰＨＳシステムに連結し、使用者は無線ＬＡＮ及びＬＡＮで無線ルータに連結でき、無線ルータを通じてＰＨＳシステムに連結して、インターネット接続し、ウェブサイト閲覧、データ伝送、及び電子メール送受信を行う。また、マイクロプロセッサとＬＡＮチップとの間に、ネットワークチップとインターネット接続ポートを加設して、無線ルータを有線方式（ＷＡＮ）でインターネット接続するようにでき、使用者はインターネット接続及び連結の方法を選択できる。【選択図】図１
2005102028.tif 000002
【特許請求の範囲】
【請求項１】
無線ルータは、マイクロプロセッサ、無線ネットワーク通信モジュール、ＰＨＳ通信モジュール及びＬＡＮチップにより構成し、
マイクロプロセッサは無線ネットワーク通信モジュール及びＰＨＳ通信モジュールとにそれぞれ接続し、別の一端をＬＡＮチップに出力し、パケットデータの処理、伝送を行い、無線ネットワーク通信モジュール、ＰＨＳ通信モジュール及びＬＡＮチップの三方のパケットデータを相互伝送できるようにし、
無線ネットワーク通信モジュールはマイクロプロセッサに接続して、無線ＬＡＮのパケットデータ及び無線信号の処理と転換を行い、
ＰＨＳ通信モジュールはマイクロプロセッサに接続して、ＰＨＳ通信規格の無線信号転換の連結、処理と伝送を行い、
ＬＡＮチップはマイクロプロセッサに接続して、パケットデータのソースと目的地アドレスをモニタし、ＬＡＮシェアポートによって使用者がインターネット接続しリソースシェアできるようにし、
以上から成ることを特徴とするＰＨＳシステムに連結できる無線ルータ。
【請求項２】
無線ネットワーク通信モジュールは必要に応じて増設でき、一端に無線ＬＡＮ用アンテナを設け、
無線ＬＡＮ用アンテナは無線ＬＡＮ通信規格に適合する無線信号を受信或いは発信し、無線ルータと使用者の無線信号伝送のインタフェイスとなり、
また、ＰＨＳ通信モジュールの一端にＰＨＳ用アンテナを設け、
ＰＨＳ用アンテナはＰＨＳ通信規格に適合する無線信号の受信或いは発信を行い、無線ルータのＰＨＳシステム連結とのインタフェイスとなり、
ＬＡＮチップの一端に数個のＬＡＮシェアポートを設け、インターネットリソースシェアと接続に使用し、
以上から成ることを特徴とする請求項１記載のＰＨＳシステムに連結できる無線ルータ。
【請求項３】
マイクロプロセッサとＬＡＮチップとの間にネットワークチップとインターネット接続ポートを加設することができ、インターネット接続ポートによってインターネットモデムに接続し、無線ルータがインターネットに接続できるようにして成ることを特徴とする請求項1記載のＰＨＳシステムに連結できる無線ルータ。
【発明の詳細な説明】
【技術分野】
【０００１】
本発明はＰＨＳ通信モジュール及びアンテナを利用し、ＰＨＳシステムに連結してインターネットに接続し、ネットワーク無線接続し、使用者が無線ＬＡＮ及びＬＡＮの方法で接続できるようにする、低料金、低電力及び低電磁波の無線ルータに関する。
【背景技術】
【０００２】
無線伝送技術の発展に伴い、無線伝送でのウェブサイト閲覧、資料伝送、サーチ、取引、教育、インターネットゲーム及び電子メールの送受信など、情報時代に非常に重要且つスピーディなコミュニケーション方法となっている。無線伝送が発展するに従って、無線伝送技術に各種の異なる通信規格と技術が生まれ（例：無線ＬＡＮ、ＷＡＰ、ＧＰＲＳ、ＰＨＳ、ＣＤＭＡ、ＤＥＣＴ、３Ｇ等）、使用者が必要に応じて選択できるだけでなく、技術、特性及び長所の違いから、各種分野及び設備上に広く応用されるようになり、上述の無線伝送技術もインターネット無線接続に応用され、非常に重要な伝送インタフェイスとなっている。
【０００３】
公知の無線ルータは、製品技術を無線ＬＡＮ（つまりＩＥＥＥ８０２．１１ｂ、８０２．１１ａ或いはｇ）に集中しているが、無線ＬＡＮの伝送技術は無線アクセスポイントによる伝送インタフェイスを必要とし、無線ＬＡＮ範囲内に、使用に十分なだけの無線アクセスポイントを架設して利用需要に応えなければならないうえ、インターネット接続のコストも高いため、接続が長時間になると費用は驚くほどになってしまう。
以上の欠点を取り除き、弾力的にインターネット接続の方法を選択でき、接続コストを低減させる無線ネットワーク設備が必要である。
【発明の開示】
【発明が解決しようとする課題】
【０００４】
本発明はＰＨＳシステムに連結できる無線ルータの提供を課題とする。
ＰＨＳ通信モジュールとアンテナを利用してＰＨＳシステムに連結してインターネット無線接続したり、或いはネットワークチップとインターネット接続ポートを加設して有線方式（ＷＡＮ）でインターネット接続したりし、環境の制限を受けない無線ルータを提供する。
また、ＰＨＳ（低電力ポータブル電話）の低料金、低電力、低電磁波の特性を利用して、使用者のインターネットへの接続コストを節減する。
更に、使用者が必要に応じて選択できる、無線ＬＡＮ或いはＬＡＮ方式で連結する無線ルータを提供する。
【課題を解決するための手段】
【０００５】
主にＰＨＳ通信モジュールとアンテナによってＰＨＳ（低電力ポータブル電話）システムに連結し、ＰＨＳの広いバンド幅を利用してインターネット無線接続を行い、無線ＬＡＮ及びＬＡＮの方式で無線ルータに連結して、ウェブサイト閲覧、データ伝送及び電子メール送受信などができるようにする。また、マイクロプロセッサとＬＡＮチップとの間に、ネットワークチップとインターネット接続ポートを加設でき、無線ルータが有線方式（ＷＡＮ）でインターネット接続できるようにし、使用者が弾力的にインターネット接続と連結の方式を選べるようにする。ひいては低料金、低電力及び低電磁波の目的を達成する。
【発明の効果】
【０００６】
本発明により以下の効果が得られる。
1．ＰＨＳシステム或いはネットワークを通じてインターネット接続できる。      
2．無線ＬＡＮ或いはＬＡＮ方式での無線ルータへの連結を選択できる。
3．ＰＨＳの低料金、低電力、低電磁波の特性が生きる。
4．ネットワークチップ及びインターネット接続ポートを別途延伸して、イン      ターネットに接続するようにできる。
5．有線及び無線ネットワークの領域に共用できる。
6．実用性があり、利便性が進歩する。
7．商工及び産業界での利用価値がある。
【発明を実施するための最良の形態】
【０００７】
図１に示すように本発明は、ＰＨＳシステムに連結できる無線ルータであり、ＰＨＳ（低電力ポータブル電話）システムに連結して、使用者２がインターネット無線接続する無線ルータ１である。無線ルータ１は、マイクロプロセッサ１１、無線ネットワーク通信モジュール１２、ＰＨＳ通信モジュール１３及びＬＡＮチップ１４により構成する。
マイクロプロセッサ１１は、無線ネットワーク通信モジュール１２及びＰＨＳ通信モジュール１３にそれぞれ接続し、別の一端をＬＡＮチップ１４に出力し、パケットデータの処理と伝送を行い、無線ネットワーク通信モジュール１２、ＰＨＳ通信モジュール１３及びＬＡＮチップ１４三方相互のパケットデータ伝送ができるようにする。
【０００８】
無線ネットワーク通信モジュール１２はマイクロプロセッサ１１と接続し、無線ＬＡＮ（ＩＥＥＥ８０２．１１ｂ、８０２．１１ａ或いはｇ）のパケットデータ及び無線信号を処理及び転換する。マイクロプロセッサ１１が送信してきたパケットデータを無線信号に転換し、無線ＬＡＮ用アンテナ１２１に伝送し、或いは無線ＬＡＮ用アンテナ１２１が送信してきた無線信号をパケットデータに転換してマイクロプロセッサ１１に伝送する。無線ネットワーク通信モジュール１２は必要に応じて増設でき、一端に無線ＬＡＮ用アンテナ１２１を設ける。
【０００９】
無線ＬＡＮ用アンテナ１２１は、無線ＬＡＮ通信規格に適合する無線信号を受信或いは送信して、無線ＬＡＮを形成し、使用者２が無線伝送及びリソースシェアリングできるようにし、無線ルータ１と使用者２との無線信号伝送のインタフェイスとなる。
【００１０】
ＰＨＳ通信モジュール１３はマイクロプロセッサ１１と接続し、ＰＨＳ通信規格の無線信号転換の連結、処理、伝送を行う。無線信号をパケットデータに転換し、パケットデータがマイクロプロセッサ１１へ伝送される経路となる。ＰＨＳ通信モジュール１３の一端にＰＨＳ用アンテナ１３１を設ける。
ＰＨＳ用アンテナ１３１はＰＨＳ（低電力ポータブル電話）通信規格に適合する無線信号を受信或いは発信する。これにより無線ルータ１とＰＨＳシステム４とを連結して、インターネット無線接続及び伝送のインタフェイスとなる。
【００１１】
ＬＡＮチップ１４はマイクロプロセッサ１１と接続し、パケットデータのソースと目的地アドレスをモニタする。ＬＡＮシェアポート１４１を通じて使用者２がインターネットに接続してリソースシェアできるようにする。ＬＡＮチップ１４の一端に数個のＬＡＮシェアポート１４１を設け、ネットワークリソースのシェアと使用者２への接続を行い、ＬＡＮを形成してパケットデータを伝送し、リソースシェアを行う。
【００１２】
図２に示すように、本発明の無線ルータ１はＰＨＳ用アンテナ１３１及び内部に設けるＰＨＳ通信モジュール１３（図１参照）を通じてＰＨＳシステム４に連結し、インターネット無線接続を行う。使用者２は無線ネットワークカード３を装着し、無線ネットワークカード３と無線ＬＡＮ用アンテナ１２１を利用して無線伝送を行い、無線ＬＡＮの方式で無線ルータ１に連結できる。或いはＬＡＮシェアポート１４１に直接接続して、ＬＡＮの方式で無線ルータ１に連結できる。そして無線ルータ１を通じてＰＨＳシステム４に連結し、使用者２がＰＨＳシステム４の低料金特性を生かしてインターネット無線接続し、ウェブサイト閲覧、データ伝送及び電子メール送受信などを行えるようにする。
【００１３】
図３に示すように、本発明はエリアの要求に応じて、使用者２がマイクロプロセッサ１１とＬＡＮチップ１４との間にネットワークチップ１５及びインターネット接続ポート１５１を加設できるようにする。インターネット接続ポート１５１によりＥｔｈｅｒｎｅｔ(登録商標)５に接続し、無線ルータ１が有線及び無線ネットワークの領域に共用できるようにし、ネットワークリソースが最も有効に運用されるようにする。
【００１４】
図４に示すように、使用者２はインターネット接続ポート１５１を利用してＥｔｈｅｒｎｅｔ（登録商標）５に接続し、ＬＡＮシェアポート１４１を通じて、使用者２がＬＡＮの方式でインターネット接続するか、或いは無線ネットワークカード３と無線ＬＡＮ用アンテナ１２１を利用して無線伝送して無線ＬＡＮの方式でウェブサイト閲覧、データ伝送、電子メール送受信などを行えるようになる。
【００１５】
本発明の無線ルータ１内に設けるＰＨＳ通信モジュール１３とＰＨＳ用アンテナ１３１により、ＰＨＳシステム４に連結してインターネット無線接続を行い、使用者２は無線ＬＡＮ及びＬＡＮの方式で無線ルータ１に連結し、ＰＨＳシステム４の低料金特性を利用して、使用者２がインターネット接続でき、ウェブサイト閲覧、データ伝送、電子メール送受信できる。また、マイクロプロセッサ１１とＬＡＮチップ１４との間にネットワークチップ１５及びインターネット接続ポート１５１を加設して、インターネット接続ポート１５１によりＥｔｈｅｒｎｅｔ５に接続できる。使用者２はインターネット接続時に環境やエリアの制限を受けずに済み、使用者２はインターネット接続方式を選択でき、並びに低価格、低電力、低電磁波の利点も得られる。
【図面の簡単な説明】
【００１６】
【図１】本発明の内部回路略図である。
【図２】本発明のＰＨＳシステムへの連結の略図である。
【図３】本発明の別の実施例の略図である。
【図４】本発明のＥｔｈｅｒｎｅｔへの連結の略図である。
【符号の説明】
【００１７】
１    無線ルータ
１１  マイクロプロセッサ
１２  無線ネットワーク通信モジュール
１２１      無線ＬＡＮ用アンテナ
１３  ＰＨＳ通信モジュール
１３１      ＰＨＳ用アンテナ
１４  ＬＡＮチップ
１４１      ＬＡＮシェアポート
１５  ネットワークチップ
１５１      インターネット接続ポート
２    使用者
３    無線ネットワークカード
４    ＰＨＳシステム
５    Ｅｔｈｅｒｎｅｔ
【図１】
2005102028.tif 000003
【図２】
2005102028.tif 000004
【図３】
2005102028.tif 000005
【図４】
2005102028.tif 000006